(57)【特許請求の範囲】
【請求項１】
床構造から立設するコンクリート柱とコンクリート柱と直交する方向に伸びるコンクリート梁からなるコンクリート構造物において、
構築されるコンクリート柱及びコンクリート梁の外周部を構成する水平部と垂直部からなる断面Ｌ字形部材を矩形状に連結して形成される水平補強枠と、フランジ部とウェブ部からなる断面Ｔ字形部材を前記水平補強枠の水平部にウェブ部の上下端部が連結固定される垂直補強枠と、
前記水平補強枠と前記垂直補強枠により形成される矩形状枠の外周に巻き付け固定される繊維シートと、
繊維シートが巻き付けられた前記水平補強枠と前記垂直補強枠に囲まれた空間に充填され固化し前記水平補強枠と前記垂直補強枠と一体化するコンクリートと、
からなることを特徴とするコンクリート構造物。
【請求項２】
前記水平補強枠と前記垂直補強枠の外周に型枠部材を配置し、前記型枠部材の外周に繊維シートを巻く付けることを特徴とする請求項１に記載のコンクリート構造物。
【請求項３】
前記断面Ｌ字形部材、前記断面Ｔ字形部材及び必要に応じて用いられる型枠部材を鋼又はＦＲＰで形成することを特徴とする請求項２に記載のコンクリート構造物。
【請求項４】
前記断面Ｌ字形部材と前記断面Ｔ字形部材を連結して矩形状の水平補強枠と垂直補強枠を形成する際、コーナー部に位置する前記断面Ｌ字形部材と前記断面Ｔ字形部材の端部を４５度の角度で切除することを特徴とする請求項１ないし３のいずれか１項に記載のコンクリート構造物。
【請求項５】
断面Ｔ字形部材のフランジ部の上下部を、ウェブ部の上下端が連結固定される断面Ｌ字形部材の水平部から垂直部上下端までの長さだけ切除することを特徴とする請求項１ないし４のいずれか１項に記載のコンクリート構造物。
【請求項６】
前記水平補強枠と前記垂直補強枠で形成される矩形状の補強枠の外周は、断面Ｌ字形部材の垂直部と断面Ｔ字形部材のフランジ部で閉じた形状とすることを特徴とする請求項１ないし５のいずれか１項に記載のコンクリート構造物。
【請求項７】
前記水平補強枠と前記垂直補強枠で囲まれた空間に軸方向筋、必要に応じてフープ筋を配筋することを特徴とする請求項１ないし６のいずれか１項に記載のコンクリート構造物。
【請求項８】
構築するコンクリート柱及びコンクリート梁の外周部を水平部と垂直部で構成される断面Ｌ字形部材を矩形状に連結して形成される水平補強枠と、ウェブ部とフランジ部で構成される断面Ｔ字形部材のウェブ部の上下端を前記水平補強枠の水平部に連結固定し、外周が水平補強枠の垂直部と垂直補強枠のフランジ部で閉じられた矩形状の補強枠で形成する工程と、
外周が閉じられた前記水平補強枠と前記垂直補強枠の外周に繊維シートを巻き付け配置する工程と、
繊維シートが巻き付けられた前記水平補強枠と前記垂直補強枠で囲まれた空間に軸方向筋、必要に応じてフープ筋を配筋する工程と、
前記水平補強枠と前記垂直補強枠で囲まれた空間にコンクリートを充填し、コンクリートを固化させ繊維シートが巻き付けられた前記水平補強枠と前記垂直補強枠とを一体化する工程と、
を少なくとも備えることを特徴とするコンクリート構造物構築工法。
【発明の詳細な説明】
【技術分野】
【０００１】
本発明は、コンクリート柱、コンクリート梁からなるコンクリート構造物及びコンクリート構造物構築工法に関する。
【背景技術】
【０００２】
従来、コンクリート柱やコンクリート梁からなるコンクリート構造物として、構築するコンクリート柱やコンクリート梁の外周部に鋼製の永久型枠を配置し、永久型枠で囲まれた空間に軸方向筋とフープ筋を配筋し、コンクリートを打設して、コンクリートを固化させ、永久型枠とコンクリートを一体化したコンクリート構造物が提案されている。
【先行技術文献】
【特許文献】
【０００３】
【特許文献１】特開２００８−２４０３６８号公報
【特許文献２】特開２０１１−２６７８６号公報
【発明の概要】
【発明が解決しようとする課題】
【０００４】
しかしながら、従来のコンクリート柱や既存コンクリート梁のコンクリート構造物においては、永久型枠に囲まれた空間に打設固化されるコンクリートと永久型枠との一体化が不十分であるという問題と、永久型枠の地震時の変位に対する耐久性が十分でないという問題があり、その結果、永久型枠に囲まれた空間に配筋される軸方向筋やフープ筋の量を増やさなければならないという問題を有していた。
【０００５】
本発明は、従来技術の持つ課題を解決するもので、構造が簡単で、組み立て、設置が容易で、打設固化されるコンクリートとの一体化に優れ、地震時の耐震性能を向上させることが可能なコンクリート構造物及びコンクリート構造物構築工法を提供することを目的とする。
【課題を解決するための手段】
【０００６】
本発明のコンクリート構造物は、前記課題を解決するために、床構造から立設するコンクリート柱とコンクリート柱と直交する方向に伸びるコンクリート梁からなるコンクリート構造物において、構築されるコンクリート柱及びコンクリート梁の外周部を構成する水平部と垂直部からなる断面Ｌ字形部材を矩形状に連結して形成される水平補強枠と、フランジ部とウェブ部からなる断面Ｔ字形部材を前記水平補強枠の水平部にウェブ部の上下端部が連結固定される垂直補強枠と、前記水平補強枠と前記垂直補強枠により形成される矩形状枠の外周に巻き付け固定される繊維シートと、繊維シートが巻き付けられた前記水平補強枠と前記垂直補強枠に囲まれた空間に充填され固化し前記水平補強枠と前記垂直補強枠と一体化するコンクリートと、からなることを特徴とする。
【０００７】
また、本発明のコンクリート構造物は、前記水平補強枠と前記垂直補強枠の外周に型枠部材を配置し、前記型枠部材の外周に繊維シートを巻く付けることを特徴とする。
【０００８】
また、本発明のコンクリート構造物は、前記断面Ｌ字形部材、前記断面Ｔ字形部材及び必要に応じて用いられる型枠部材を鋼又はＦＲＰで形成することを特徴とする。
【０００９】
また、本発明のコンクリート構造物は、前記断面Ｌ字形部材と前記断面Ｔ字形部材を連結して矩形状の水平補強枠と垂直補強枠を形成する際、コーナー部に位置する前記断面Ｌ字形部材と前記断面Ｔ字形部材の端部を４５度の角度で切除することを特徴とする。
【００１０】
また、本発明のコンクリート構造物は、断面Ｔ字形部材のフランジ部の上下部を、ウェブ部の上下端が連結固定される断面Ｌ字形部材の水平部から垂直部上下端までの長さだけ切除することを特徴とする。
【００１１】
また、本発明のコンクリート構造物は、前記水平補強枠と前記垂直補強枠で形成される矩形状の補強枠の外周は、断面Ｌ字形部材の垂直部と断面Ｔ字形部材のフランジ部で閉じた形状とすることを特徴とする。
【００１２】
また、本発明のコンクリート構造物は、前記水平補強枠と前記垂直補強枠で囲まれた空間に軸方向筋、必要に応じてフープ筋を配筋することを特徴とする。
【００１３】
また、本発明のコンクリート構造物構築工法は、構築するコンクリート柱及びコンクリート梁の外周部を水平部と垂直部で構成される断面Ｌ字形部材を矩形状に連結して形成される水平補強枠と、ウェブ部とフランジ部で構成される断面Ｔ字形部材のウェブ部の上下端を前記水平補強枠の水平部に連結固定し、外周が水平補強枠の垂直部と垂直補強枠のフランジ部で閉じられた矩形状の補強枠で形成する工程と、外周が閉じられた前記水平補強枠と前記垂直補強枠の外周に繊維シートを巻き付け配置する工程と、繊維シートが巻き付けられた前記水平補強枠と前記垂直補強枠で囲まれた空間に軸方向筋、必要に応じてフープ筋を配筋する工程と、前記水平補強枠と前記垂直補強枠で囲まれた空間にコンクリートを充填し、コンクリートを固化させ繊維シートが巻き付けられた前記水平補強枠と前記垂直補強枠とを一体化する工程と、を少なくとも備えることを特徴とする。
【発明の効果】
【００１４】
床構造から立設するコンクリート柱とコンクリート柱と直交する方向に伸びるコンクリート梁からなるコンクリート構造物において、構築されるコンクリート柱及びコンクリート梁の外周部を構成する水平部と垂直部からなる断面Ｌ字形部材を矩形状に連結して形成される水平補強枠と、フランジ部とウェブ部からなる断面Ｔ字形部材を前記水平補強枠の水平部にウェブ部の上下端部が連結固定される垂直補強枠と、前記水平補強枠と前記垂直補強枠により形成される矩形状枠の外周に巻き付け固定される繊維シートと、繊維シートが巻き付けられた前記水平補強枠と前記垂直補強枠に囲まれた空間に充填され固化し前記水平補強枠と前記垂直補強枠と一体化するコンクリートと、からなることで、構造が簡単で組み立てが容易で、コンクリートと一体化した水平補強枠の水平部と垂直補強枠のウェブ部が補強リブとして機能し、補強筋の量を少なくして耐震性能を向上させ、型枠部材の外周に巻き付けられる繊維シートが地震時のエネルギーを減衰することが可能となる。
水平補強枠と垂直補強枠の外周に型枠部材を配置し、型枠部材の外周に繊維シートを巻く付けることで、より強固な補強構造とすることが可能となる。
断面Ｌ字形部材、断面Ｔ字形部材及び必要に応じて用いられる型枠部材を鋼又はＦＲＰで形成することで、鋼製でもＦＲＰ製でも高強度の補強構造とすることが可能となる。
断面Ｌ字形部材と断面Ｔ字形部材を連結して矩形状の水平補強枠と垂直補強枠を形成する際、コーナー部に位置する断面Ｌ字形部材と断面Ｔ字形部材の端部を４５度の角度で切除することで、矩形状に連結される補強枠のコーナー部が隙間なく連結することが可能となる。
断面Ｔ字形部材のフランジ部の上下部を、ウェブ部の上下端が連結固定される断面Ｌ字形部材の水平部から垂直部上下端までの長さだけ切除することで、水平補強枠の垂直部と垂直補強枠のフランジ部が面一となり繊維シート又は必要に応じて配置される型枠部材の配置が容易にすることが可能となる。
水平補強枠と垂直補強枠で形成される矩形状の補強枠の外周は、断面Ｌ字形部材の垂直部と断面Ｔ字形部材のフランジ部で閉じた形状とすることで、型枠部材を配置しなくても、水平補強枠と垂直補強枠で囲まれた空間に打設されるコンクリートの漏出を防止することが可能となる。
水平補強枠と前記垂直補強枠で囲まれた空間に軸方向筋、必要に応じてフープ筋を配筋することで、高強度のコンクリート構造物とすることが可能となる。
構築するコンクリート柱及びコンクリート梁の外周部を水平部と垂直部で構成される断面Ｌ字形部材を矩形状に連結して形成される水平補強枠と、ウェブ部とフランジ部で構成される断面Ｔ字形部材のウェブ部の上下端を前記水平補強枠の水平部に連結固定し、外周が水平補強枠の垂直部と垂直補強枠のフランジ部で閉じられた矩形状の補強枠で形成する工程と、外周が閉じられた前記水平補強枠と前記垂直補強枠の外周に繊維シートを巻き付け配置する工程と、繊維シートが巻き付けられた前記水平補強枠と前記垂直補強枠で囲まれた空間に軸方向筋、必要に応じてフープ筋を配筋する工程と、前記水平補強枠と前記垂直補強枠で囲まれた空間にコンクリートを充填し、コンクリートを固化させ繊維シートが巻き付けられた前記水平補強枠と前記垂直補強枠とを一体化する工程と、を少なくとも備えることで、構造が簡単で組み立て作業が容易で、コンクリートと一体化した水平補強枠の水平部と垂直補強枠のウェブ部が補強リブとして機能し、補強筋の配筋量を少なくしても耐震性能を向上させることが可能で、型枠部材の外周に巻き付けられる繊維シートが地震時のエネルギーを減衰することが可能となり、低コストのコンクリート構造物構築工法とすることが可能となる。
【図面の簡単な説明】
【００１５】
【図１】本発明の実施形態を示す図である。
【図２】本発明の実施形態を示す図である。
【図３】本発明の実施形態を示す図である。
【図４】本発明の実施形態を示す図である。
【図５】本発明の実施形態を示す図である。
【図６】（ａ）（ｂ）（ｃ）本発明の実施形態を示す図である。
【発明を実施するための形態】
【００１６】
本発明の実施の形態を図により説明する。図１は、コンクリート柱及びコンクリート梁からなるコンクリート構造物の一実施形態を示す図である。
【００１７】
コンクリート構造物は、床構造１からコンクリート柱２が鉛直に立設し、コンクリート柱２にコンクリート梁３が水平に交差する。コンクリート柱２はコンクリート梁３の上部にも鉛直方向に立設する。
【００１８】
床構造１から鉛直方向に伸びるコンクリート柱２及びコンクリート柱２と直交する方向に伸びるコンクリート梁３の構造を、図２（図１Ａ−Ａ線水平切断面図）、図３（図１Ｂ−Ｂ線水平切断面図）、図４、図５、図６（ａ）（ｂ）（ｃ）により説明する。
【００１９】
床構造１から鉛直方向に立設するコンクリート柱２は、水平部５ａと垂直部５ｂからなる断面Ｌ字形部材５の水平部５ａが床構造１に接触するよう配置し、複数の断面Ｌ字形部材５を連結して矩形状の水平補強枠６を形成する。断面Ｌ字形部材５を矩形状に連結する際、コーナー部に位置する断面Ｌ字形部材５の端部を４５度の角度で切除して連結する。水平補強枠６の床構造１と接する水平部５ａと床構造１をアンカーボルト７で固定する。断面Ｌ字形部材５で形成された水平補強枠６の水平部５ａには、垂直補強枠８を連結固定するためのＬ字形の連結部材９が連結部材固定ピン１７で固定される。連結部材９には、垂直補強枠固定ピン挿通孔９a形成される。
【００２０】
水平補強枠６の水平部５ａに連結固定される垂直補強枠８は、断面Ｔ字形部材１０により形成される。断面Ｔ字形部材１０は、ウェブ部１０ａとウェブ部１０ａと直交するフランジ部１０ｂにより構成される。フランジ部１０ｂの上下部は、ウェブ部１０ａの上下端が固定される断面Ｌ字形部材５の水平部５ａから垂直部５ｂ上下端までの長さだけ切除する。ウェブ部１０ａの一部を切除することにより、断面Ｔ字形部材１０のウェブ部１０ａを、断面Ｌ字形部材５の水平部５ａに連結部材９と垂直補強枠固定ピン１１で連結固定すると、断面Ｌ字形部材５の垂直部５ｂと断面Ｔ字形部材１０のフランジ部１０ｂの表面が面一になる。
【００２１】
複数の断面Ｌ字形部材５を矩形状に連結して構成される水平補強枠６の一辺をなす水平部５ａに複数の断面Ｔ字形部材１０を連結固定して垂直補強枠８を形成する場合、図６（ａ）に示すように、隣接するフランジ部１０ｂの端部が接触するように配置する。コーナー部に位置する断面Ｔ字形部材１０のフランジ部１０ｂの端部を４５度の角度で切除して連結すると、矩形状に連結された水平補強枠６の上に垂直補強枠８のフランジ部１０ｂが矩形状に配置される。隣接するフランジ部１０ｂの端部が互いに密着するように配置されるので、水平補強枠６と垂直補強枠８で形成される矩形状の外周は、垂直部５ｂとフランジ部１０ｂにより閉じられた滑らかな外周面となる。
【００２２】
図３に示すように、上部に位置する水平補強枠８は、１対の断面Ｌ字形部材５の水平部５ａ同士を接触させ、上下の水平部５ａを水平補強枠連結ピン１２で固定する。床構造１から立設するコンクリート柱２の外周部は、水平補強枠６と垂直補強枠８を矩形状に連結して形成される。
【００２３】
床構造１から鉛直に立設するコンクリート柱２の外周部である水平補強枠６と垂直補強枠８の連結配置が終了すると、水平補強枠６と垂直補強枠８の外周に繊維シート１４を巻きつける。必要に応じて、矩形状に連結した水平補強枠６と垂直補強枠８の外周に型枠部材１３を配置しても良い。型枠部材１３を配置する場合、型枠部材１３の外周に繊維シート１４を巻きつける。水平補強枠６の垂直部５ａと垂直補強枠８のフランジ部１０ｂが面一になっているので型枠部材１３の配置が容易になる。その後、既存コンクリート柱２と水平補強枠６、垂直補強枠８との間には、軸方向筋１５と必要に応じてフープ筋１６を配筋する。
【００２４】
軸方向筋１５と必要に応じて配置されるフープ筋１６が配筋された空間に未硬化のセメントモルタルを打設する。セメントモルタルに金属繊維、有機繊維を混合したものを用いると強度の大きいコンクリートとすることが可能となる。セメントモルタルが固化することにより、水平補強枠、垂直補強枠８、型枠部材１３、繊維シート１４が固化したコンクリートにより一体化してコンクリート柱２が構築される。
【００２５】
セメントモルタルが打設される側の水平補強枠６と垂直補強枠８には、断面Ｌ字形部材５の水平部５ａと断面Ｔ字形部材１０の垂直なウェブ部１０ａが水平方向、垂直方向の補強リブとして機能して耐震性能を向上させると共に、水平補強枠６と垂直補強枠８の外周に巻き付けられた繊維シート１４も地震時のエネルギーを減衰する機能を有する。コンクリート梁３の上から立設するコンクリート柱２も同様である。
【００２６】
断面Ｌ字形部材５、断面Ｔ字形部材１０、型枠部材１３は、鋼又は高強度なＲＲＰで形成しても良い。構造が簡単な規格部材で水平補強枠６と垂直補強枠８が形成することが可能であるため、組み立て作業が容易で低コストの既存コンクリート構造物補強構造とすることが可能となる。
【００２７】
図３は、コンクリート柱２とコンクリート柱２に直交するコンクリート梁３の構造を示す図である。コンクリート柱２と直交する方向に伸びるコンクリート梁３の外周部に沿って水平補強枠６と垂直補強枠８を矩形状に連結する。コンクリート柱２の外周部を形成する水平補強枠６と垂直補強枠８が鉛直方向に連接されるのに対して結固定されるのに対して、コンクリート梁３の外周部を形成する水平補強枠６と垂直補強枠８は、水平方向に連接される。
アンカーボルト７で固定する。
【００２８】
矩形状に連結した水平補強枠６と垂直補強枠８の外周に繊維シート１４を巻きつける。必要に応じて、矩形状に連結した水平補強枠６と垂直補強枠８の外周に型枠部材１３を配置しても良い。型枠部材１３を配置する場合、型枠部材１３の外周に繊維シート１４を巻きつける。
【００２９】
コンクリート梁３の外周部を形成する水平補強枠６、垂直補強枠８との間には、軸方向筋１５と必要に応じて水平筋１６を配筋する。
【００３０】
軸方向筋１５と必要に応じて配置される水平筋１６が配筋された空間に未硬化のセメントモルタルを打設する。セメントモルタルに金属繊維、有機繊維を混合したものを用いると強度の大きいコンクリートとすることが可能となる。セメントモルタルが固化することにより、水平補強枠、垂直補強枠８、型枠部材１３、繊維シート１４が固化したコンクリートにより一体化してコンクリート梁３の耐震性能が大幅に向上する。
【００３１】
断面Ｌ字形部材５、断面Ｔ字形部材１０、型枠部材１３は、鋼又は高強度なＲＲＰで形成しても良い。構造が簡単な規格部材で水平補強枠６と垂直補強枠８が形成することが可能であるため、組み立て作業が容易で低コストの既存コンクリート構造物補強構造とすることが可能となる。
【００３２】
以上のように、本発明のコンクリートコンクリート構造物及びコンクリート構造物構築工法によれば、構造が簡単で組み立てが容易で、コンクリートと一体化した水平補強枠の水平部と垂直補強枠のウェブ部が補強リブとして機能し、補強筋の量を少なくして耐震性能を向上させ、外周に巻き付けられる繊維シートが地震時のエネルギーを減衰することが可能となる。
【符号の説明】
【００３３】
１：床構造、２：コンクリート柱、３：コンクリート梁、５：断面Ｌ字形部材、５ａ：水平部、５ｂ：垂直部、６：水平補強枠、７：アンカーボルト、８：垂直補強枠、９：連結部材、９a：垂直補強枠固定ピン挿通孔、１０：断面Ｔ字形部材、１０ａ：ウェブ部、１０ｂ：フランジ部、１１：垂直補強枠固定ピン固定ピン、１２：水平補強枠連結ピン、１３：型枠部材、１４：繊維シート、１５：軸方向筋、１６：フープ筋、１７：連結部材固定ピン
【要約】
【課題】構造が簡単で、組み立て、設置が容易で、打設固化されるコンクリートとの一体化に優れ、地震時の耐震性能を向上させることが可能なコンクリート構造物及びコンクリート構造物構築工法を提供することを目的とする。
【解決手段】床構造から立設するコンクリート柱とコンクリート柱と直交する方向に伸びるコンクリート梁からなるコンクリート構造物において、構築されるコンクリート柱及びコンクリート梁の外周部を構成する水平部と垂直部からなる断面Ｌ字形部材を矩形状に連結して形成される水平補強枠と、フランジ部とウェブ部からなり前記水平補強枠の水平部にウェブ部の上下端部が連結固定される垂直補強枠と、  前記水平補強枠と前記垂直補強枠により形成される矩形状枠の外周に巻き付け固定される繊維シートと、繊維シートが巻き付けられた前記水平補強枠と前記垂直補強枠に囲まれた空間に充填され固化し前記水平補強枠と前記垂直補強枠と一体化するコンクリートと、からなることを特徴とする。
【選択図】  図１【図１】
0006016313.tif 000002
【図２】
0006016313.tif 000003
【図３】
0006016313.tif 000004
【図４】
0006016313.tif 000005
【図５】
0006016313.tif 000006
【図６】
0006016313.tif 000007